(57)【要約】      （修正有）【課題】誰でも腕力の何分の一の力で簡単に短時間で琴糸を張り替え又は締め直しが出来る琴糸挟持固定保持具及び琴糸締め装置を提供する。【解決手段】ラチェット式ストッパ付ハンドウインチを引張り手段とし、該ハンドウインチのストッパで張り具合を固定保持する手段とした琴糸挟持保持具を龍尾の裏面の音穴に装着し、琴糸を当該琴糸挟持固定保持具本体１の斜面を持つ押圧面１６と斜面を持つ押圧材２０の押圧面２３ａ、２３ｂ、２３ｃに琴糸の太さより少し大きな隙間を設けて、琴糸を摺動可能に挿通し、引張り手段のラチェット式ストッパ付ハンドウインチで琴糸を巻上げ、所定の張り具合で巻上げを止め、琴糸挟持固定具本体の絞め付け手段である押圧手段の長ナット１１（ナットあるいは蝶ナット）を締め付ける。【選択図】図１
2016136223.tif 000002
【特許請求の範囲】
【請求項１】
琴糸の引張り手段である従来あるラチェット式ストッパ付ハンドウインチと琴糸を上下からの押圧材で挟んでボルトとナットで締め付け固定保持する手段の押圧面の隙間に、琴糸を摺動可能に挿通させ、琴の龍尾裏面の音穴に装着して、前記琴糸の先端部を環状体に固定形成する手段としてワイヤクリップで環状体を作り、挟持固定保持して、該環状の琴糸を前記ハンドウインチのフックに取付け、該ハンドウインチのレバーハンドルをストッパが作動している状態で回しているので、琴糸は所定の張り具合でレバーハンドルの回転を止めてもリールは逆回転せず、前記琴糸固定保持具の長ナット（あるいは蝶ナットなど）を絞め付け固定保持した後、前記ストッパを解除してリールを逆回転させて琴糸を緩め、フックから外し、ワイヤクリップからも取り外し、琴糸を開放して龍尾にある雲角に張られた琴糸に絡めて固定した後、前記琴糸絞め付け手段の長ナット（あるいは蝶ナットなど）を緩め、当該琴糸締付固定保持手段を龍尾裏面の音穴から取り外して、張り替え、締め直しが終了する、琴糸の張り替え、締め直しが簡単で短時間で腕力の何分の１で出来ることを特徴とした、琴糸挟持固定保持による琴糸張り替え、締め直し装置及び琴糸挟持固定保持具に関する。
【請求項２】
琴糸の引張り手段を従来の腕力で行い、１本ずつ張力を加え、請求項１の琴糸挟持固定具の押圧材が琴糸を上下から摺動可能に挟持し、所定の張り具合になると、前記琴糸挟持固定保持具の長ナット（あるいは蝶ナット）を締め付け、確実に琴糸を固定保持した後、該琴糸を龍尾の雲角に絡めて、従来通り固定できることを特徴とする、琴糸挟持固定保持具に関する。
【請求項３】
前記請求項１及び請求項２の押圧材の当接面を、琴糸との摩擦力を増すためやキズ防止のため、当接面を、ギザギザの代わりに梨地、ゴムシート、皮革などを貼着したことを特徴とする琴糸挟持固定保持具による琴糸張り替え、締め直し装置及び琴糸挟持固定保持具に関する。
【発明の詳細な説明】
【技術分野】
【０００１】    本発明は、琴糸の挟持固定保持具及び琴糸締め装置に関するものである。
【背景技術】
【０００２】従来、琴糸の張り替えや曲により特定の糸（通称絃）だけを強く張ったり、緩めたりする場合、各自でも可能であるが、ある程度強い力と技術が必要なので、通常女性や男性でも通称琴屋（一般的名称）にその作業を依頼していた。【０００３】従来の琴糸締め作業は、一本ずつ強い腕力で琴糸を引張り、所定の張り具合になると、膝や手などでずれないよう固定した後、龍尾にある雲角に前記琴糸を絡めて固定していたが、僅かにずれることがあり、全体の張り具合を一定にするには、琴屋でも締めた後で、琴柱を並べてその並びが悪いと締め直していたので、一般的な十三絃の琴を一台張り替えるには、かなりの時間と技術とそれに強い腕力が必要であった。【０００４】また、この張り替えにかかる費用には、琴糸及び出張料や張替作業料を含めると経済的に大きな負担となり、特に琴を多く保有している琴の先生や演奏する回数や使用する頻度の多い演奏者にとって、張り替えや締め直しの回数が多いので、琴糸だけでも安価なものから演奏会用の高級なものまであるが、琴糸の張り替えにかかる費用は、演奏者にとって大きな負担となっていた。【０００５】  琴糸を張り替える方法は、専門の音楽学校において、習うこともあるが、強い腕力と技術が必要で、習った者でも一般的には、男性でも女性でも、一定の張り具合にするには難しいので、琴糸の張り替えや締め直しは、手数を支払ってでも通常琴屋に頼むのが一般的であった。【０００６】通常出張で琴糸の締め直しを依頼すると、琴糸の耐用年数により、天地替え（龍尾側の琴糸と龍頭側の琴糸を入れ替え）する場合があり、通常１本でも切れた場合は、他の琴糸も同様に傷んでいる可能性があるので、通常は全ての琴糸を取り替えや前記天地替えする場合が多い。【０００７】  また、演奏会用に全体的に張り気味にする場合や曲により琴の調弦による場合、琴糸の緩みで琴柱の並びが悪い場合など特定の琴糸だけを締め直す場合があり、このような場合もその都度琴屋に締め直してもらう必要があった。
【発明の概要】
【発明が解決しようとする課題】
【０００８】上記のような問題点を解決するため、本発明は、琴糸の張り替えや締め直し作業を行なうとき、専門の業者や技術者に依頼することなく、誰でもが腕力の何分の一の力で簡単で、しかも短時間で琴糸を張り替え又は締め直しが出来ることを目的とする。
【課題を解決するための手段】
【０００９】  本発明では、琴糸の張り替えの一実施例として、従来あるラチェット式のストッパ付ハンドウインチを引張り手段とし、該ハンドウインチのストッパで張り具合を保持する手段とし、琴糸挟持固定保持具を龍尾の裏面の音穴に装着し、琴糸を当該琴糸挟持固定保持具の本体の斜面を持つ押圧面と斜面を持つ押圧材の押圧面の琴糸の太さより大きな隙間に琴糸を摺動可能に保持し、前記ラチェット式ストッパ付ハンドウインチの回転ハンドルを回転させ、リールに巻上げて所定の張り具合になると、回転ハンドルの回転を止め、リールが逆回転しない常態で、前記琴糸挟持固定保持具の長ナット（あるいは蝶ナットなど）を締め付けることで、前記押圧面に琴糸が押圧されずに固定保持するための固定保持手段とした。
【発明の効果】
【００１０】  以上の説明から明らかなように、本発明にあっては次に列挙する効果がある。【００１１】  本発明は、一実施例として龍尾の５０の龍腹６０にある音穴６２から特定の琴糸Ｇあるいは１３本の琴糸を取り出し、前記音穴６２より大きなＵ字形板７の元部１５に突出した斜面１６を持つ突部８の本体と３つの部材に分かれた押圧部材２０の斜面２３との隙間部２６に、例えば、琴糸を押圧部材９ａ，９ｂ，９ｃの両サイド部材９ａと９ｃには４本ずつ、中央部材９ｂには、５本の琴糸を摺動できるよう挿通させ、前記音穴６２に挿入し、該琴糸Ｇの先端部分をワイヤクリップ６で琴糸Ｇを環状体Ｇａに固定形成し、琴糸Ｇ（１３本）を３回くらいに分けて、ハンドウインチ５に巻かれたベルト３１（あるいはワイヤ）の先端に設けられたフック３２に琴糸Ｇを取り付け、ストッパ付のウインチ５の回転ハンドル３６を徐々に（歯車の一つの歯毎に）回転させると琴糸が張られ、チューナーや耳で琴糸Ｇの張り具合を確認後、前記音穴６２に装着した、挟持固定保持具１の、長ナット１１（締め付け固定手段）をソケット付ラチェットやスパナなどで締付け、前記ハンドウインチ５のストッパ３５を解除しても琴糸Ｇが該挟持固定保持具１の挟持部２６から固定保持されていることを確認後、琴糸Ｇの環状部をハンドウインチ５から取り外し、また、ワイヤクリップ６からもワイヤクリップ６のナット３７を緩めて琴糸Ｇを外し、該琴糸Ｇを龍尾５０の雲角４６に１本ずつ絡めて固定することが出来、１３本の琴糸Ｇを３つの束に分け龍尾の琴糸に挟み込み、琴糸Ｇの張り替え作業が、簡単に短時間でしかも人力の何分の一の力で出来た。【００１２】また、従来行なっていた腕力で琴糸締めを行なう場合では、強く琴糸を引張り、締めて琴糸Ｇを固定保持する道具として、前記挟持固定保持具１を用いて簡単に張り具合を確認して固定保持することが出来るので、琴糸Ｇを張った状態で琴糸Ｇの締め替え作業が楽に出来た。【００１３】以上のように、簡単に腕力の何分の一の力で張り替えができるので、お琴を所有する弟子を持つお琴の先生、お琴の演奏者や団体であれば、この琴糸挟持固定保持具１や当該琴糸挟持固定保持具１による琴糸締め装置１０が必需品となる。【００１４】  通称琴屋でもこの装置があれば、安価で琴の糸締めが出来るので、今まで琴糸の締め替えや張り替えにかかる費用を安く提供でき、また、全国の琴の所有者自身が行なえば、琴糸の張り替えや締め直しなどの費用を最低限に抑えることができるので、琴の糸締めにかかる費用や締め替え時間がかなり軽減できる。
【図面の簡単な説明】
【００１５】
【図１】は、本発明の挟持固定保持具の分解斜視図である。
【図２】は、一般的な十三絃琴を用いて一実施例を示すものである。
【図３】は、龍尾を反転させ音穴に挟持固定保持具を装着した図である。
【図４】は、図３の音穴の裏から見た挟持固定保持具を装着した図である。
【図５】は、図２の（Ｂ）で示す、Ａ−Ａ断面図である。
【図６】は、琴の各部の名称を示す図である。
【本発明を実施させるための形態】
【００１６】本発明を図面に従って、一般的な十三絃琴で詳しく説明する。
【００１７】図１は、本発明である、琴糸挟持固定保持具１の分解斜視図を示すもので、該琴糸挟持固定保持具１の説明の関連図を、図３、図４及び図５で詳しく説明する。
【００１８】図２は、一実施例として、一般的な１３絃琴を張り替える状態を示すもので、説明のため１本の琴糸Ｇを張り替えている状態である。
【００１９】先ず、図６の琴Ｋの各部の名称から説明すると、図６（ａ）は、琴Ｋの表側を示し、図面左から大きく龍尾部５０、甲４４、龍頭４１からなり、龍頭部４１には、龍角４３があり、該龍角４３に近接した位置に１３個の龍眼４２（琴糸の挿通孔）が配置され、図６（ｂ）は、琴Ｋの龍腹６０（琴の裏面）を示し、図面右側の龍頭部４１の龍腹６０に音穴６１が設けられ、琴糸Ｇの端部に止め材（図示せず）を結び、前記龍眼４２を介して、龍尾部５０の雲角４６に近接した１３個の龍眼４７に琴糸Ｇの先端を挿入し、龍尾部５０の龍腹６０にも音穴６２が設けられた該音穴６２から琴糸（図示せず）を引き出す。
【００２０】該琴の演奏側と反対側の側面を磯（演奏者側と手前側）４５と呼び、龍尾部５０には装飾用の柏葉５１、尾絹５２が貼着され、龍腹６０の龍尾５０の縁に龍足６３が設けられた龍尾端部６５の下端部に凹部６４が設けられ、該凹部６４から琴糸を引き出す。
【００２１】次に、琴糸挟持固定保持具１について詳しく、図１、図３、図４、図５で説明すると、図１は当該琴糸挟持保持具１の分解斜視図を示し、図面上方から長ナット１１、ワッシャ１２、Ｕ字形の板７の元部１５突出部８が一体化され、ボルト３０が挿通する６個の挿通孔１７が設けられ、前記斜面１６と当接する３つの押圧体２０の部品９ａ、９ｂ、９ｃにも、前記ボルト３０が挿通する６個の孔２７が設けられている。
【００２２】  前記ボルトの頭２５は、前記３つの押圧体に２０頭部が係合する六角形の凹部２１に埋設するので、前記図１の最上部の長ナット１１と最下部に示すボルト３０のネジ部２４が螺合すると、ボルト３０の頭部２５は係止されて回転しないので、前記Ｕ字状板７の元部１５の突出した斜面１６と前記３つの押圧部材２０が、長ナット１１を絞めることにより前記ボルト３０のネジ部２４と螺合し、上下から琴糸Ｇは押圧される。
【００２３】図３は、Ａ−Ａ線断面図を示すもので、龍尾５０の龍眼４７から琴糸Ｇを引き出し、琴糸挟持固定保持具１の斜面１６に該琴糸Ｇが押圧体２０の斜面２３ａ、２３ｂ、２３ｃに挟持され摺動可能に挿通させた状態を示す。
【００２４】琴糸挟持固定保持具１突出部８の押圧面１６及び前記３つの押圧体２０の押圧面２３ａ、２３ｂ、２３ｃには摩擦力を増すためギザギザや梨地を施し、琴糸Ｇの固定保持が確実な挟持部となっている。
【００２５】また、琴糸Ｇにキズが付かないよう、皮革か樹脂板やゴム板を貼着しても良い。
【００２６】図３は、琴糸Ｇの張り替え作業を説明するため、龍腹６０の龍尾５０にある音穴６２から１本の琴糸Ｇを引き出し、龍尾５０の龍腹部６０の音穴６２に当該琴糸挟持固定保持具１の挟持部２６に該琴糸Ｇを摺動可能に装着した図で、前記音穴６２より大きなＵ字状板７の裏面２２が龍腹６０と当接し、当該琴糸挟持固定保持具１のＵ字の前方の開放部１８から琴糸Ｇを引き出した図を示す。
【００２７】  ２点鎖線で示す楕円は、琴の龍尾部５０を載せるテーブル２で楕円は、該テーブル２に設けられた前記琴糸挟持固定保持具１の長ナット１１を締め付けるため操作用口８０を示す。
【００２８】図４は、琴糸挟持固定保持具１を音穴６２に装着して、琴Ｋの音穴６２の内部から外部方向を見た状態で、ボルト３０の頭部２５が前記３つの押圧体２０の六角形の凹２１に係合埋設した状態を示す図である。
【００２９】図５は、図２（Ｂ）におけるＡ−Ａ線の断面図を示し、龍腹６０を上にした図で、図面右側は、龍頭４１側でＵ字状板７の下面２２は、龍尾５０の龍腹６０の音穴６２より大きく、音穴６２の龍腹６０に当接して装着した断面図である。
【００３０】龍頭４１側から龍眼４７（琴糸の挿通孔）を介し、Ｕ字状板７の元部１５に斜面１６を持つ突出部８の斜面と３つの部材からなる、前記斜面と当接する押圧体２０の当接斜面２３ａ、２３ｂ、２３ｃに琴糸Ｇが摺動可能に挟持され、それぞれの斜面当接面２６には、摩擦力を増すためギザギザ１６が施されて、該琴糸Ｇの先端部は、Ｕ字状板の空間部１８を介し、図２に示す、琴糸ガイド４を介して、ハンドウインチ５のベルト３１の先端に装着した、フック３２へと引き出されている。
【００３１】以上のように、琴糸挟持固定保持具１は、このように構成されているので、当該琴糸挟持保持具１を使用して、琴糸Ｇの張り替え方法について、図２に示すように一実施例を説明すると、４本の脚２８を持つ、テーブル２に龍尾５０を載せ、該テーブル２には、龍尾５０の龍腹６０にある音穴６２に琴糸挟持固定保持具１が装着されている長ナット１１の操作をする為の前記音穴６２より大きな２点鎖線の楕円で示す操作口８０が設けられている。
【００３２】テーブル２の上には、龍尾５０が前後左右に保持するための龍尾挟持具７０が、左右に拡幅可能な長穴７６にボルト７５を挿入し固定されている。
【００３３】該琴固定具７０は、Ｌ字状の形状で相対するよう配置され、Ｌ字の短い部材７３は琴Ｋがハンドウインチ５の方向に動かないための係止する役目であり、長穴７８にボルト７４で固定され、Ｌ字の長手方向材７１は、琴Ｋの龍尾５０の両磯４５（側部）を側壁７２の内側７７で挟持している。
【００３４】龍頭４１方向から引き出された琴糸Ｇは、龍尾５０にある雲角４６に近接した、龍眼４７に挿入し、音穴６２に装着した前記琴糸挟持固定保持具１の押圧部２６を摺動可能に装着し、龍足６３に凹部６４を設け、該凹部６４から琴糸Ｇが引き出されている。
【００３５】前記テーブル２の端部中央部に連結部７９と裏面に長丁番（図示せず）で接続されている細長いテーブル３が、１本の脚２９で支えられ、該細長いテーブル３の端部近くには、ラチェット式ストッパ付ハンドウインチ５が固定されている。
【００３６】該ラチェット式ストッパ付ハンドウインチ５のリール３３には、一実施例として、ベルト３１が巻かれ、該ベルト３１の先端にはフック３２が装着されている。
【００３７】前記琴糸Ｇの先端部をワイヤクリップ６の本体４０と押圧板３９の隙間に挿通させ環Ｇａを形成し、該ワイヤクリップ６の本体４０に溶着されたネジ部３８と螺合したナット３７を強く締め付けると、押圧板３９が琴糸Ｇを挟持固定保持され、琴糸Ｇは環Ｇａを形成する。
【００３８】該琴糸Ｇの環状部Ｇａを、前記ラチェット式ストッパ付ハンドウインチ５のベルト３１の先端部のフック３２に取り付ける。
【００３９】該ラチェット式ストッパ付ハンドウインチ５の回転ハンドル３６側のリール３３の側壁には、歯車３４が貼着され、該歯車３４と歯数の少ない小さな歯車（図示せず）を介して１つの歯を持つストッパ３５が前記小さな歯車と噛み合い、回転ハンドル３６をＲ方向にゆっくり回転させると、琴糸Ｇはベルト３１がリール３３に巻き取られると、回転ハンドル３６を回す感覚が徐々に重くなり、前記歯車３４の歯毎に琴糸Ｇは張られ、琴Ｋの甲４４の琴糸Ｇが所定の張り具合（耳やチューナーで確認）になると、回転ハンドル３６の回転を止め、前記音穴６２に装着した、琴糸挟持保持具１の長ナット１１をラチェットやスパナなどで確実に締め付け、前記ハンドウインチ５のストッパ３５を解除し、ハンドルを逆回転させてベルト３１を緩め、前記ワイヤクリップ６のナット３７も緩めて、琴糸Ｇを開放させる。
【００４０】該琴糸Ｇの先端を持って、龍尾５０にある雲角４６へと移動させ、張られた琴糸Ｇに絡ませ固定する。
【００４１】以上が１本だけの琴糸の張り替え作業であるが、複数本まとめて琴糸Ｇを引張り、絞め付けが可能なので、その複数本を１本ずつ雲角４６の琴糸Ｇに絡ませて固定する。
【００４２】また、全ての琴糸Ｇをまとめて締め付けることは可能であるが、通常４、５本まとめての３回くらいに分けての糸締めの方が、作業効率が良い。
【００４３】最後に全ての琴糸Ｇを前記雲角４６に絡ませて固定が終了すると、琴糸Ｇを２つの束にして環を形成し、龍尾５０の雲角４６と端面の間の琴糸Ｇに馳せて琴糸の張り替え作業は終了する。
【産業上の利用可能性】本発明では、従来いわゆる琴の糸締めにおいては、強い力で引張り固定するためには、強い力と技術が必要であったので、全国で何万人のお琴を保有している演奏者は、通常琴屋（一般的な総称）に依頼してきたので、その都度、琴糸締め料金がかかり、数台、数十台保有している団体にとって経済的に大きな負担となっていたが、本発明では、簡単な装置でほぼ誰でも琴糸締めの技術を要しないでしかも、腕力の何分の１の力で糸締めができたので、全国の琴奏者であれば、琴奏者の必需品となる。
また、引張り手段として、従来あるラチェット式ストッパ付のウインチ５を使用して琴糸締め装置１０を構成しているが、従来のように強い腕力があれば、琴糸挟持固定保持具１だけでも１本ずつ琴糸を張った時の琴糸Ｇの固定保持手段とすることが出来るので、糸締め作業効率が良くなり、また、演奏会場の狭い楽屋でも簡単で短時間に特定の糸を締め直す場合でも、大変便利であり、また、全国に琴を保有している台数は何万台もあるので、琴奏者にとっての経済な負担が大変少なくなり、全国の琴奏者にとって大変役立つものとなる。
【符号の説明】
【００４４】１・・・琴糸挟持固定保持具全体
２・・・テーブル
３・・・細長いテーブル
４・・・琴糸ガイド
５・・・ラチェット式ストッパ付ハンドウインチ
６・・・ワイヤクリップ
７・・・Ｕ字状板
８・・・斜面を持つ凸部
９ａ、９ｂ、９ｃ・・・押圧材
１０・・・琴糸張り替え装置全体
１１・・・長ナット
１２・・・ワッシャ
１３・・・Ｕ字状板
１４・・・Ｕ字状板の腕部
１５・・・Ｕ字状板の元部
１６・・・Ｕ字状板の斜面部
１７・・・Ｕ字状板のボルト挿通孔
１８・・・Ｕ字状板の空間部
１９・・・突出部後部壁面
２０・・・押圧材全体
２１・・・ボルト頭係合凹部
２２・・・Ｕ字状板の裏面
２３ａ、２３ｂ、２３ｃ・・・押圧部材の斜面部
２４・・・ボルトネジ部
２５・・・ボルト頭部
２６・・・挟持隙間部
２７・・・押圧部材のボルト挿通孔
２８・・・テーブルの脚
２９・・・細長いテーブルの脚
３０・・・ボルト全体
３１・・・ベルト
３２・・・フック
３３・・・リール
３４・・・歯車
３５・・・ストッパ
３６・・・回転ハンドル
３７・・・ワイヤクリップのナット
３８・・・ワイヤクリップのネジ
３９・・・ワイヤクリップ押圧板
４０・・・ワイヤクリップ本体
４１・・・龍頭
４２・・・龍頭側龍眼
４３・・・龍角
４４・・・甲
４５・・・磯（手前と演奏者側）
４６・・・雲角
４７・・・雲角側龍眼
５０・・・龍尾
５１・・・柏葉
５２・・・尾絹
６０・・・龍腹
６１・・・龍頭側音穴
６２・・・龍尾側音穴
６３・・・龍足
６４・・・龍足凹部
６５・・・龍尾端面壁部
７０・・・龍尾部挟持具
７１・・・Ｌ字状板
７２・・・龍尾両磯挟持壁
７３・・・龍尾端部係止部
７４、７５・・・ボルト
７６、７８・・・長穴
７７・・・挟持壁内側
７９・・・連結部
８０・・・挟持固定保持具操作口
Ｋ・・・琴全体
Ｒ・・・回転ハンドル回転方向
【図１】
2016136223.tif 000003
【図２】
2016136223.tif 000004
【図３】
2016136223.tif 000005
【図４】
2016136223.tif 000006
【図５】
2016136223.tif 000007
【図６】
2016136223.tif 000008